(57)【特許請求の範囲】
【請求項１】
外周の一部を直線状に形成した前後の側壁を、上記直線状部を底壁にて、他の部分を周壁にて連結すると共に、この両側壁の内側で、かつこれの直線状部に近い位置に毒餌剤保持部を設け、さらに上記周壁に、一方の側壁を下側にした横置き状態で匍匐害虫が出入する出入口を複数設けると共に、側壁の直線状部両側の端部付近に設けられた上記出入口に、側壁の直線状部を下側にした縦置き状態での匍匐害虫の匍匐進入路となる案内壁を上記側壁の直線状部の端部付近から傾斜路として匍匐害虫を前記毒餌剤保持部に案内するように設け、両側壁の直線状部を床面に接触した縦置きと、前後の側壁の一方を床面に接触した横置きの双方の姿勢にて用いることができるようにしたことを特徴とする匍匐害虫用の毒餌剤容器。
【請求項２】
前後の側壁の少なくとも一方の側壁の毒餌剤保持部に揮散孔を設けたことを特徴とする請求項１記載の匍匐害虫用の毒餌剤容器。
【発明の詳細な説明】
【０００１】
【発明の属する技術分野】
本発明は、ゴキブリやアリ等の匍匐害虫用の毒餌剤を入れて上記匍匐害虫を誘引すると共にこれを食べさせて駆除するための匍匐害虫用の毒餌剤容器に関するものである。
【０００２】
【従来の技術】
従来のこの種の匍匐害虫用の毒餌剤容器は図１に分解して示すようになっていて、平面形状が略正方形になっている本体ａと蓋体ｂとが、本体ａ側に立設した支柱ｃを介して上下に離間して組み立てられており、本体ａの中央部に設けた給餌部ｄに設けた針ｅに毒餌剤を取り付けるようにしている。
【０００３】
そしてこの従来の毒餌剤容器は本体ａ及び蓋体ｂが床面と平行になるように、すなわち、横置き状にして台所等の床の隅に設置するようになっている。ゴキブリやアリ等の匍匐害虫は本体ａの外周縁から支柱ｃの間を通って給餌部に出入りする。
【０００４】
【発明が解決しようとする課題】
上記従来の毒餌剤容器にあっては、容器の外周縁全体が開口していることにより、害虫の進入経路を広くとることができる利点がある反面、壁と戸棚の間等の極めて狭い場所での設置できないという欠点があった。
【０００５】
すなわち、上記毒餌剤容器は横置きしかできなかったため、これがいかに小形であっても、これの平面形状はある程度の大きさになって、所定以上の大きさの設置スペースが必要となり、上記した壁と戸棚等の間の、極めて狭い、例えば１〜２ｃｍ位の隙間内に設置することができなかった。
【０００６】
本発明は上記のことにかんがみなされたもので、横置きと縦置きができ、横置きによる害虫の進入路を広くできるという利点を生かしたまま、縦置きにより、極めて狭い隙間にも設置できるようにした毒餌剤容器を提供することを目的とするものである。
【０００７】
【課題を解決するための手段】
上記目的を達成するために、本発明に係る匍匐害虫毒餌剤容器は、外周の一部を直線状に形成した前後の側壁を、上記直線状部を底壁にて、他の部分を周壁にて連結すると共に、この両側壁の内側で、かつこれの直線状部に近い位置に毒餌剤保持部を設け、さらに上記周壁に、一方の側壁を下側にした横置き状態で匍匐害虫が出入する出入口を複数設けると共に、側壁の直線状部両側の端部付近に設けられた上記出入口に、側壁の直線状部を下側にした縦置き状態での匍匐害虫の匍匐進入路となる案内壁を上記側壁の直線状部の端部付近から傾斜路として匍匐害虫を前記毒餌剤保持部に案内するように設け、両側壁の直線状部を床面に接触した縦置きと、前後の側壁の一方を床面に接触した横置きの双方の姿勢にて用いることができるようにした構成になっている。
【０００８】
そして上記構成の匍匐害虫毒餌剤容器における前後の側壁の少なくとも一方の側壁の毒餌剤保持部に揮散孔を設けた構成になっている。
【０００９】
【作  用】
上記構成の匍匐害虫用の毒餌剤容器は、両側壁の直線状部を床面に接触した縦置きと、前後の側壁の一方を床面に接触した横置きの双方の姿勢にて用いることができる。そして縦置きした状態では、案内壁を通って匍匐害虫が出入りする。また横置きした状態では、上記案内壁及び連結部材の間を通って匍匐害虫が出入りする。毒餌剤容器内に進入した匍匐害虫は毒餌剤保持部に保持された毒餌剤を喫食する。
【００１０】
また、上記毒餌剤容器の毒餌剤保持部にて保持された毒餌剤の揮散成分が側壁に設けた揮散孔より揮散される。
【００１１】
【発明の実施の形態】
本発明の実施の形態を図２以下に基づいて説明する。
毒餌剤容器１は一部を直線状にして略半円弧状に形成され、前後に所定の間隔をとって対向する前後の側壁１ａ，１ｂと、この両側壁１ａ，１ｂを連結する囲壁とからなっている。そしてこの囲壁は直線状部を連結する底壁２と半円弧部を連結する周壁３とからなっている。
【００１２】
周壁３には複数の匍匐害虫の出入口４ａ，４ｂ，４ｃ，４ｄが設けてある。この各出入口４ａ〜４ｄの前後方向の大きさは周壁３の略全幅にわたっているが、周方向の大きさは、大型のゴキブリがスムーズに出入りできる大きさにとられている。そしてこの各出入口４ａ〜４ｄには、毒餌剤容器１を底壁２を下側にして縦置き状態での進入路となる案内壁５ａ，５ｂ，５ｃ，５ｄが設けてある。なお、この各案内壁のうち、最も底部に近い位置に設けた出入口４ａ，４ｄの案内壁５ａ，５ｄは側壁の直線状部の端部から登り坂状に構成され、他の案内壁５ｂ，５ｃは周壁２から円弧状に構成されている。そして案内壁５ａ〜５ｄは前後の各側壁１ａ，１ｂの中央下部に向けて傾斜されている。前後の側壁１ａ，１ｂの中央下部には毒餌剤を挟み保持するための保持用突起６ａ，６ｂが設けてある。
【００１３】
この毒餌剤容器１は紙やプラスチックにて構成される。そしてこれの成形は図２、図５に示すように、前後方向に２分割し、これの対向面を接着し、あるいは互いに係合させることにより一体構成となっている。そしてこの分割部材を組み合わせるときに、両側壁１ａ，１ｂの保持用突起６ａ，６ｂ間に錠剤状に成形された毒餌剤７を保持させる。
【００１４】
図６〜図８は上記前後の側壁１ａ，１ｂと、この両側壁１ａ，１ｂを連結する連結部材（周壁）の構成の他例を示すもので、両側壁１ａ，１ｂの間に、各側壁１ａ，１ｂと別部材とした周壁３を介在させた構成となっている。
【００１５】
前後の側壁１ａ，１ｂを連結する部材としては上記した周壁３に限るものではなく、両側壁１ａ，１ｂ間に介在させる部材であれば板状あるいは柱状等の連結部材を用いてもよい。また側壁１ａ，１ｂを直線状部に近い出入口に沿って設けられる案内壁５ａ，５ｄの入口側端部は側壁１ａ，１ｂの直線状部の端部に一致させる必要はなく、直線状部の端部より中央側へ、あるいは上方へ少しずれてもよい。
【００１６】
前後の側壁１ａ，１ｂの中央下部で、上記保持用突起６ａ，６ｂの周囲部に揮散孔８が設けてある。
【００１７】
上記保持用突起６ａ，６ｂの頂部の面積は毒餌剤７の側面形状の大きさより充分小さくなっていて、図９（ａ）に示すように、両保持用突起６ａ，６ｂ間に保持された毒餌剤７の外縁部の全体が容器内に露出されるようになっている。
【００１８】
なお図９の（ｂ），（ｃ），（ｄ），（ｅ）は上記保持用突起６ａ，６ｂの変形例を示すもので、（ｂ）は円柱状にしたもの、（ｃ）は針状にしたもの、（ｄ）は複数の針状にしたもの、（ｅ）は三角台形状にしたものをそれぞれ示す。これらのいずれの突起も毒餌剤７の側面の中心部の少ない接触面積で保持できるようになっている。
【００１９】
本発明に係る毒餌剤容器が対象としている匍匐害虫としては、クロゴキブリ、チャバネゴキブリ、ワモンゴキブリなどのゴキブリ類、トビイロケアリ、ルリアリ、イエヒメアリなどのアリ類、ダンゴムシ、ワラジムシ、ナメクジなどが含まれる。
【００２０】
そしてこれらの匍匐害虫に用いる毒餌剤の有効成分としては、上記各匍匐害虫のうちで、最も駆除しにくいゴキブリ類を殺すことができる（殺虫作用）を有する化合物が用いられる。これには、例えば、レスメトリン、ペルメトリン、サイフェノトリン、サイパーメスリン、エトフェンプロックス、トラロメスリンなどのピレスロイド系化合物、フェニトロチオン、ダイアジン、クロルピリホスなどの有機リン系化合物、プロボクサ、カルバリルなどのカーバイト系化合物、ピリプロキシフェン、メトプレンなどのホルモン剤、ホウ酸、ヒドラメチルノン等を例示できるが、これらに限定されるものではない。
【００２１】
上記構成の毒餌剤容器１は図２、図６に示すように、側壁１ａ，１ｂの直線状部を下にして縦置き状に、また図１０に示すように、前後の側壁１ａ，１ｂのいずれかを下にして横置き状にして床面に用いる。そして縦置き状の場合は、上記直線状部に近い下側の出入口４ａ，４ｄから案内壁５ａ，５ｄを匍匐して害虫が出入りする。また横置き状の場合には、各出入口４ａ〜４ｄから下側の側壁を匍匐して害虫が出入りする。そしてこの各害虫は保持用突起６ａ，６ｂに保持された毒餌剤７を喫食する。
【００２２】
図１１、図１２は他の実施の形態を示すもので、直線状部に近い方の出入口４ａ，４ｅの入口部の両側がゴキブリが進入しやすいように切欠いてある。また揮散孔８が複数の円形孔を水平方向にならべた形態になっている。この揮散孔８は図１３に示すように、円形孔を円弧状に配置してもよい。さらにこの各揮散孔８は前後の両側壁１ａ，１ｂに設け、あるいは一方の側壁にのみ設けてもよい。
【００２３】
上記したように、匍匐害虫の出入口４ａ〜４ｅは側壁１ａ，１ｂの直線状部以外の周縁部に、案内壁と周壁（連結部材）との間に構成される。そしてこの各出入口は幼児の指が容易に入らないような大きさになっていて、内側に保持した毒餌剤を誤食することがないようにしている。前後の側壁１ａ，１ｂの間隔はこの間をゴキブリ等の匍匐害虫が通り抜けることができる間隔、例えば１〜１．５ｃｍが適当である。
【００２４】
次に各条件下における試験例を示す。
0004695737.tif 000002
【００２５】
【表１】
0004695737.tif 000003
【００２６】
表１に示す結果から明らかなように、本発明容器を用いた場合には、横置き（表）、縦置き、横置き（裏）のいずれかの方向に設置した場合にも、変化なく優れた喫食性を示した。
【００２７】
0004695737.tif 000004
【００２８】
【表２】
0004695737.tif 000005
【００２９】
表２に示す結果から明らかなように、錠剤の外縁部が全て露出する構造の本発明容器は、錠剤の外縁部が一部（上側）のみ露出（対照容器１）あるいは全く露出（対照容器２）しない場合に比べて、優れた喫食性を示した。
【００３０】
0004695737.tif 000006
【００３１】
【表３】
0004695737.tif 000007
【００３２】
表３に示す結果から明らかなように、誘引成分の揮散孔を設けた本発明容器は、揮散孔を設けない場合に比べて優れた誘引性を示した。
【００３３】
上記実施の形態において、底部を除く周縁部の形状は半円弧状に限るものではなく、適宜の形状にしてもよい。
【００３４】
なお、上記各実施の態様での毒餌剤容器では出入口４ａ〜４ｅを側壁１ａ，１ｂの直線状部以外の周縁部にのみ設けた例を示したが、横置き状で用いる場合には、毒餌剤容器の直線状部にも出入口を設けてもよく、これにより横置き使用時の捕獲効果を向上することが可能である。
【００３５】
【発明の効果】
本発明によれば、匍匐害虫用の毒餌剤容器を前後の側壁の一方を床に接触させた横置きと、両側壁の直線状部を下側にして直立した縦置きの両方の姿勢で用いることができる。
【００３６】
従って、広い個所では、周壁に設けた各出入口が床面に沿って匍匐害虫の進入路を広くなる横置き状で用いることができ、壁と戸棚の間等、狭い空間では縦置きにして、この間に設置できる。
【００３７】
そして縦置きした状態では、底部に近い出入口より匍匐害虫が出入りするが、この出入りより毒餌剤保持部へ向けて案内壁を匍匐して匍匐害虫がスムーズに出入りする。
【００３８】
毒餌剤は、これの外周縁の略全体が露出した状態で保持することができ、これにより、匍匐害虫による毒餌剤の食い付きを良くすることができる。また、上記毒餌剤の揮散成分が揮散孔より外部へ揮散するので、毒餌剤の誘引成分を効果的、かつ広範囲に拡散することができる。
【００３９】
さらに本発明によれば、毒餌剤は前後の側壁間に保持したことにより、横置きした場合に、両側壁のいずれを下側にしても毒餌剤の作用効果は全く同じであり、横置きによる使用時には、これの表裏を考慮することなく無作為に用いることができる。
【図面の簡単な説明】
【図１】従来例を示す分解斜視図である。
【図２】本発明の実施の形態で、かつ縦置き状態を示す斜視図である。
【図３】本発明の実施の形態の正面図である。
【図４】図２のＡ−Ａ線に沿う断面図である。
【図５】図４のＢ−Ｂ線に沿う断面図である。
【図６】本発明の他の実施の形態を示す斜視図である。
【図７】図６のＣ−Ｃ線に沿う断面図である。
【図８】図７のＤ−Ｄ線に沿う断面図である。
【図９】（ａ），（ｂ），（ｃ），（ｄ），（ｅ）は毒餌剤の保持部の保持構造を示す説明図である。
【図１０】本発明の実施の形態で、かつ横置き状態を示す斜視図である。
【図１１】本発明の他の実施の形態を示す斜視図である。
【図１２】図１１のＥ−Ｅ線に沿う断面図である。
【図１３】揮散孔の他例を示す正面図である。
【図１４】（ａ），（ｂ）は対照容器の餌保持形態を示す説明図である。
【符号の説明】
１…毒餌剤容器、１ａ，１ｂ…側壁、２…底壁、３…周壁、４ａ，４ｂ，４ｃ，４ｄ，４ｅ…出入口、５ａ，５ｂ，５ｃ，５ｄ…案内壁、６ａ，６ｂ…保持用突起、７…毒餌剤、８…揮散孔
【図１】
0004695737.tif 000008
【図２】
0004695737.tif 000009
【図３】
0004695737.tif 000010
【図４】
0004695737.tif 000011
【図５】
0004695737.tif 000012
【図６】
0004695737.tif 000013
【図７】
0004695737.tif 000014
【図８】
0004695737.tif 000015
【図９】
0004695737.tif 000016
【図１０】
0004695737.tif 000017
【図１１】
0004695737.tif 000018
【図１２】
0004695737.tif 000019
【図１３】
0004695737.tif 000020
【図１４】
0004695737.tif 000021